(57)【要約】【課題】香箱に複数のゼンマイが並列に取り付けられる構成において、出力トルクを向上できる時計用動力装置および時計用動力装置の製造方法を提供すること。【解決手段】時計用動力装置は、香箱と、前記香箱に収納された第１ゼンマイおよび第２ゼンマイと、香箱真と、香箱蓋と、を備え、前記香箱真は、回転方向に沿って複数設けられ、前記第１ゼンマイの内端を係止することが可能な第１係止部と、軸方向において前記複数の第１係止部とは異なる位置に、回転方向に沿って複数設けられ、前記第２ゼンマイの内端を係止することが可能な第２係止部と、を備える。【選択図】図９
2018054562.tif 000002
【特許請求の範囲】
【請求項１】
香箱と、
前記香箱に収納された第１ゼンマイおよび第２ゼンマイと、
香箱真と、
香箱蓋と、を備え、
前記香箱真は、
回転方向に沿って複数設けられ、前記第１ゼンマイの内端を係止することが可能な第１係止部と、
軸方向において前記複数の第１係止部とは異なる位置に、回転方向に沿って複数設けられ、前記第２ゼンマイの内端を係止することが可能な第２係止部と、を備える
ことを特徴とする時計用動力装置。
【請求項２】
請求項１に記載の時計用動力装置において、
前記複数の第１係止部および前記複数の第２係止部は、前記香箱真の回転方向において等間隔で設けられている
ことを特徴とする時計用動力装置。
【請求項３】
請求項１または請求項２に記載の時計用動力装置において、
前記香箱蓋の外周面には歯が設けられている
ことを特徴とする時計用動力装置。
【請求項４】
請求項１から請求項３のいずれか１項に記載の時計用動力装置において、
前記香箱に収納され、前記香箱真の軸方向において前記第１ゼンマイおよび前記第２ゼンマイの間に配置された仕切部を備える
ことを特徴とする時計用動力装置。
【請求項５】
請求項１から請求項４のいずれか１項に記載の時計用動力装置において、
前記複数の第１係止部および前記複数の第２係止部は、それぞれ、前記香箱真の外周面から突出して設けられ、
前記第１係止部および前記第２係止部は、前記香箱真の前記香箱に対する挿入方向の端から、前記挿入方向とは反対方向に向かって前記香箱真の中心軸から遠ざかるように傾斜した傾斜面を備える
ことを特徴とする時計用動力装置。
【請求項６】
請求項１から請求項５のいずれか１項に記載の時計用動力装置の製造方法であって、
前記香箱に、回転軸に沿う一方の方向側から、前記第１ゼンマイおよび前記第２ゼンマイを入れるステップと、
前記香箱真に、前記香箱を取り付けるステップと、
前記第１ゼンマイおよび前記第２ゼンマイが入れられ、かつ、前記香箱真に取り付けられた前記香箱に、前記香箱蓋を取り付けるステップと、を備える
ことを特徴とする時計用動力装置の製造方法。
【発明の詳細な説明】
【技術分野】
【０００１】
本発明は、ゼンマイを備える時計用動力装置および当該時計用動力装置の製造方法に関する。
【背景技術】
【０００２】
従来、香箱（香箱ドラム）、香箱に収納されたゼンマイ、香箱真および香箱蓋（香箱カバー）を備えた時計用動力装置において、持続時間を長くするため、香箱真および香箱の間に２つのゼンマイが独立して取り付けられた動力装置、すなわち、２つのゼンマイが並列に取り付けられた動力装置がある（例えば、特許文献１参照）。
特許文献１の時計用動力装置では、第１ゼンマイおよび第２ゼンマイが香箱に収納されている。香箱真には、軸方向における位置が異なる２つのフックが形成されている。そして、第１ゼンマイは、内端が香箱真の一方のフックに引っ掛けられ、外端が香箱の内壁に固定されている。また、第２ゼンマイは、内端が香箱真の他方のフックに引っ掛けられ、外端が香箱の内壁に固定されている。この構成によれば、１つのゼンマイを備える構成に対して、出力トルクを維持しつつ、ゼンマイを薄くできる。これにより、ゼンマイの巻き数を増やすことができ、持続時間を長くできる。
【先行技術文献】
【特許文献】
【０００３】
【特許文献１】スイス国特許第７０４２４９号明細書
【発明の概要】
【発明が解決しようとする課題】
【０００４】
ところで、特許文献１のような第１のゼンマイおよび第２のゼンマイが並列に取り付けられた時計用動力装置では、ゼンマイの巻締めを行い、第１ゼンマイおよび第２ゼンマイの一方のゼンマイが全巻状態になると、それ以上他方のゼンマイを巻くことができなくなる。このため、ゼンマイを巻締めた際、第１ゼンマイおよび第２ゼンマイを両方とも全巻状態とするには、第１ゼンマイおよび第２ゼンマイが同じタイミングで全巻状態となるように、第１ゼンマイおよび第２ゼンマイの巻始めのタイミングを一致させることが望ましい。すなわち、ゼンマイが巻戻された状態で香箱真を巻締め方向に回転させてから、第１ゼンマイの内端が巻始められるまでの香箱真の回転角度（位相）と、香箱真を巻締め方向に回転させてから第２ゼンマイの内端が巻始められるまでの香箱真の回転角度との差（位相差）を０にすることが好ましい。
しかしながら、第１ゼンマイおよび第２ゼンマイの厚みや長さに製造ばらつきがあると、第１ゼンマイおよび第２ゼンマイの内端の位置を予め決めることができないため、最大で約１周の位相差が発生してしまう。
位相差が約１周の場合、ゼンマイが巻締められ、一方のゼンマイが全巻状態となった際、他方のゼンマイは、全巻状態から巻き数が約１巻足りていない状態となる。そして、この状態から、ゼンマイは巻戻される。これによれば、第１ゼンマイおよび第２ゼンマイが両方とも全巻の状態から巻戻される場合と比べて、ゼンマイの巻き戻し末期での出力トルクが低下するという問題がある。この出力トルクの低下は、前記他方のゼンマイの全巻状態からの巻き数（１巻未満の巻き数）の不足分が多くなるほど顕著になる。すなわち、位相差が大きくなるほど顕著になる。
【０００５】
本発明の目的は、香箱に複数のゼンマイが並列に取り付けられる構成において、出力トルクを向上できる時計用動力装置および時計用動力装置の製造方法を提供することにある。
【課題を解決するための手段】
【０００６】
本発明の時計用動力装置は、香箱と、前記香箱に収納された第１ゼンマイおよび第２ゼンマイと、香箱真と、香箱蓋と、を備え、前記香箱真は、回転方向に沿って複数設けられ、前記第１ゼンマイの内端を係止することが可能な第１係止部と、軸方向において前記複数の第１係止部とは異なる位置に、回転方向に沿って複数設けられ、前記第２ゼンマイの内端を係止することが可能な第２係止部と、を備えることを特徴とする。
【０００７】
本発明によれば、ゼンマイが巻締められた際、第１ゼンマイの内端は、複数の第１係止部のうちのいずれかに係止され、第２ゼンマイの内端は、複数の第２係止部のうちのいずれかに係止される。なお、第１ゼンマイおよび第２ゼンマイの外端は、例えば外掛けやスリッピングアタッチメントなどによって香箱の側壁部に取り付けられる。
これによれば、第１ゼンマイおよび第２ゼンマイの内端の巻始めの位置の位相差の最大値を、第１係止部および第２係止部が１つずつ設けられている場合と比べて小さくできる。
例えば、第１係止部および第２係止部が、それぞれ、香箱真の回転軸に対して点対称となる位置に２つ設けられている場合について説明する。この場合、第１ゼンマイおよび第２ゼンマイの内端は、ゼンマイが巻戻された状態で香箱真を巻締め方向に回転させてから、遅くとも０．５回転するまでには第１係止部または第２係止部に係止されて巻かれる。このため、第１ゼンマイおよび第２ゼンマイの内端の巻始めの位置の位相差を、０．５周よりも小さくできる。また、第１係止部および第２係止部が、それぞれ、香箱真の回転方向において等間隔に３つ設けられている場合は、位相差を、約０．３３周よりも小さくできる。
これにより、本発明によれば、ゼンマイが巻締められたときに、全巻状態とはなっていない方のゼンマイの、全巻状態からの巻き数の不足分の最大値を、香箱真に第１係止部および第２係止部がそれぞれ１つずつ設けられている場合と比べて少なくでき、ゼンマイの巻き戻し末期での出力トルクを向上できる。
【０００８】
本発明の時計用動力装置において、前記複数の第１係止部および前記複数の第２係止部は、前記香箱真の回転方向において等間隔で設けられていることが好ましい。
【０００９】
本発明によれば、第１係止部および第２係止部が等間隔で設けられていない場合と比べて、第１ゼンマイおよび第２ゼンマイの内端の位置の位相差の最大値を小さくでき、ゼンマイの巻き戻し末期での出力トルクを効果的に向上できる。
【００１０】
本発明の時計用動力装置において、前記香箱蓋の外周面には歯が設けられていることが好ましい。
【００１１】
本発明では、香箱蓋は、出力トルクを伝達する香箱車として機能する。
外周面に歯が設けられた回転部材を生成する場合、歯先円以上の直径を有する材料を準備し、この材料の外周部分を削って歯を設ける加工が行われる。
香箱蓋は香箱よりも薄いため、香箱蓋に歯を設ける方が、香箱に歯を設けるよりも、材料を削る量を少なくでき、加工を容易にできる。
【００１２】
本発明の時計用動力装置において、前記香箱に収納され、前記香箱真の軸方向において前記第１ゼンマイおよび前記第２ゼンマイの間に配置された仕切部を備えることが好ましい。
【００１３】
本発明によれば、香箱に収納された第１ゼンマイおよび第２ゼンマイが、香箱内で移動して互いに干渉することを防止でき、動力装置の動作が妨げられることを防止できる。
【００１４】
本発明の時計用動力装置において、前記複数の第１係止部および前記複数の第２係止部は、それぞれ、前記香箱真の外周面から突出して設けられ、前記第１係止部および前記第２係止部は、前記香箱真の前記香箱に対する挿入方向の端から、前記挿入方向とは反対方向に向かって前記香箱真の中心軸から遠ざかるように傾斜した傾斜面を備えることが好ましい。
【００１５】
時計用動力装置の製造過程において、香箱真に香箱を取り付ける際、第１ゼンマイおよび第２ゼンマイが収納された香箱に、香箱の回転軸に沿う一方の方向側から、香箱真を挿入する場合がある。
この場合、本発明によれば、第１係止部および第２係止部が第１ゼンマイおよび第２ゼンマイに当たっても、さらに香箱真を押し込むことで、前記傾斜面に押されて第１ゼンマイおよび第２ゼンマイが外側に逃げる。このため、香箱真の挿入が第１ゼンマイおよび第２ゼンマイによって妨げられることを防止でき、香箱真に容易に香箱を取り付けることができる。
【００１６】
本発明は、上記時計用動力装置の製造方法であって、前記香箱に、回転軸に沿う一方の方向側から、前記第１ゼンマイおよび前記第２ゼンマイを入れるステップと、前記香箱真に、前記香箱を取り付けるステップと、前記第１ゼンマイおよび前記第２ゼンマイが入れられ、かつ、前記香箱真に取り付けられた前記香箱に、前記香箱蓋を取り付けるステップと、を備えることを特徴とする。
【００１７】
本発明によれば、上記の時計用動力装置を容易に組み立てることができる。
すなわち、例えば、香箱に、回転軸に沿う一方の方向側から第１ゼンマイを入れ、他方の方向側から第２ゼンマイを入れる場合、香箱の向きを途中で変える必要があるが、本発明によれば、香箱に第１ゼンマイおよび第２ゼンマイを入れる際、途中で香箱の向きを変える必要がないため、組み立て工程を簡略化できる。
【図面の簡単な説明】
【００１８】
【図１】本発明の実施形態に係る時計の断面図。
【図２】実施形態におけるゼンマイの図。
【図３】実施形態におけるゼンマイの内端を示す図。
【図４】実施形態における香箱の平面図。
【図５】実施形態における香箱の断面図。
【図６】実施形態における香箱蓋の平面図。
【図７】実施形態における香箱蓋の断面図。
【図８】実施形態におけるスペーサーの平面図。
【図９】実施形態における香箱真を裏蓋側から見た平面図。
【図１０】実施形態における香箱真を文字板側から見た平面図。
【図１１】実施形態における香箱真の断面図。
【図１２】実施形態におけるゼンマイの巻締めの様子を示す図。
【図１３】位相差が０周の場合のゼンマイの出力トルク特性を示す図。
【図１４】位相差が０．５周の場合のゼンマイの出力トルク特性を示す図。
【図１５】位相差が１周の場合のゼンマイの出力トルク特性を示す図。
【図１６】位相差別の全体の出力トルク特性を示す図。
【図１７】本発明の変形例に係る香箱真の平面図。
【発明を実施するための形態】
【００１９】
以下、本発明に係る実施形態について、図面に基づいて説明する。
図１は、機械式腕時計である時計１を示す断面図である。なお、図１における上方向は、文字板１１から裏蓋に向かう方向であり、下方向は、裏蓋から文字板１１に向かう方向である。
時計１は、文字板１１の裏蓋側に、指針（図示省略）を駆動する駆動機構２を備えている。駆動機構２は、動力装置３を備えている。
【００２０】
［動力装置の構成］
時計用動力装置としての動力装置３は、香箱２０と、香箱２０に収納された第１ゼンマイとしてのゼンマイ３０および第２ゼンマイとしてのゼンマイ４０と、香箱真５０と、香箱蓋６０とを備えている。
各ゼンマイ３０，４０は、詳しくは後述するが、内端３１，４１（図２参照）が香箱真５０に係止され、香箱真５０の周囲を巻回し、外端３２，４２（図２参照）が香箱２０の側壁部２１に取り付けられている。
【００２１】
香箱真５０は、地板１２に固定された香箱軸１３によって軸支されている。香箱真５０には、駆動機構２が備える角穴車１４が取り付けられ、香箱真５０および角穴車１４は一体で回転する。角穴車１４は、ゼンマイ３０，４０を巻締める方向には回転するが反対方向には回転しないように、コハゼ（図示省略）と噛み合っている。また、香箱軸１３には香箱ネジ１８が取り付けられ、香箱ネジ１８によって、香箱真５０の香箱軸１３からの脱落が防止される。
なお、角穴車１４を巻締め方向に回転しゼンマイ３０，４０を巻く方法は、一般的な機械時計の自動巻または手巻機構と同様であるため、説明を省略する。
【００２２】
香箱２０は、香箱真５０に対して回転可能に取り付けられている。香箱蓋６０は、香箱２０に固定され、香箱２０と一体で回転する。
ゼンマイ３０，４０が巻戻されると、香箱真５０を回転軸として香箱２０および香箱蓋６０が一体で回転する。本実施形態では、香箱蓋６０の外周面には歯６１が設けられており、香箱蓋６０が出力トルクを伝達する香箱車として機能する。香箱蓋６０の歯６１は駆動機構２が備える二番車１５と噛み合っており、香箱２０および香箱蓋６０の回転に連動して、駆動機構２が備える二番車１５、図示しない三番車、四番車１６、筒車１７などの歯車が回転する。四番車１６には図示しない秒針が取り付けられ、二番車１５の筒かな１５１には図示しない分針が取り付けられ、筒車１７には図示しない時針が取り付けられる。これにより、香箱２０および香箱蓋６０が回転することで各指針が駆動する。
【００２３】
［ゼンマイの構成］
図２は、香箱２０に収納されていないゼンマイ３０，４０を示す図である。ゼンマイ３０，４０は、同じ材料によって、同じ厚みおよび長さで形成されている。ゼンマイ３０，４０は、本実施形態では、ニッケルコバルト合金によって構成されている。なお、ゼンマイ３０，４０は、ステンレス鋼などの他の金属により構成されていてもよい。ゼンマイ３０，４０は、板状のゼンマイ部材に形状を付け、その後、３５０℃程度に加熱して熱処理を施すことで形成される。
ゼンマイ３０の内端３１には、図３に示すように、香箱真５０に形成された後述する突起５２１，５２２に引っ掛けられる孔３１１が形成されている。同様に、ゼンマイ４０の内端４１には、香箱真５０に形成された後述する突起５３１，５３２に引っ掛けられる孔４１１が形成されている。
ゼンマイ３０の外端３２には、図２に示すように、香箱２０の側壁部２１に形成された後述する外端側係止部２１１に引っ掛かる外掛け３３が溶接によって固定されている。同様に、ゼンマイ４０の外端４２には、外端側係止部２１１に引っ掛かる外掛け４３が固定されている。
【００２４】
［香箱の構成］
図４は、香箱２０を文字板１１側から見た平面図であり、図５は、香箱２０の断面図である。
図４、図５に示すように、香箱２０は、円筒状に形成された側壁部２１と、側壁部２１の裏蓋側の開口を塞ぎ、側壁部２１と一体形成されている底部２２とを備えている。なお、側壁部２１の文字板１１側の開口は、香箱蓋６０によって塞がれる。
香箱２０の平面中心には、香箱真５０が挿通する孔２２１が形成されている。
香箱２０の側壁部２１の内周面には、ゼンマイ３０，４０の外掛け３３，４３が引っ掛かる外端側係止部２１１が形成されている。すなわち、ゼンマイ３０，４０の外端３２，４２は、香箱２０の回転方向において同じ位置で係止されている。
なお、このような香箱２０は、次のようにして製造できる。まず、円柱状の棒材を旋盤加工によって削り、空間Ｓに対応する凹部を形成する。この時、凹部の内周に沿って２本の溝２１３，２１４も形成する。そして、凹部が形成された棒材の側壁部の内周側に、軸方向開口側からノッチ形状のパンチを押し付け、当該内壁を削り、外端側係止部２１１を形成する。このとき、前記内壁には２つの溝２１３，２１４が形成されているため、例えば、溝が１つ形成されている場合と比べて、パンチで押された部分が逃げやすくなり、当該内壁を削りやすくできる。このため、凹部の深さ方向の寸法が長い場合でも、外端側係止部２１１を容易に形成できる。そして、旋盤加工によって、棒材の外周面および開口側とは反対側の面を削ることで、香箱２０を製造できる。なお、溝２１３だけでもパンチ抜き加工が可能な場合は、溝２１４は形成しなくてもよい。
【００２５】
［香箱蓋の構成］
図６は、香箱蓋６０を裏蓋側から見た平面図であり、図７は、香箱蓋６０の断面図である。
図６、図７に示すように、香箱蓋６０は、円盤形状を有し、香箱２０の文字板１１側の開口を塞ぐように形成されている。
香箱蓋６０の外周面には、前述したように、歯６１が設けられている。
香箱蓋６０の平面中心には、香箱真５０が挿通する孔６２が形成されている。
また、香箱蓋６０の外周側には、３つの孔６３が形成されている。孔６３は、図１に示すように、少なくとも香箱２０における側壁部２１の文字板１１側の端部２１２の一部を露出する。孔６３は、ゼンマイの交換時などに、香箱蓋６０を香箱２０から取り外す際に用いられるものであり、この孔６３に棒を挿通し、棒の先で香箱２０の側壁部２１の端部２１２を押すことで、香箱蓋６０を香箱２０から容易に取り外すことができる。
また、香箱蓋６０の裏蓋側には、平面視で円形形状を有する凹部６４が形成されている。凹部６４に、香箱２０の側壁部２１の端部２１２が圧入されることで、香箱蓋６０は、香箱２０に固定される。
【００２６】
図１に示すように、香箱２０および香箱蓋６０によって囲まれた空間Ｓに、ゼンマイ３０，４０は収納される。ここで、空間Ｓは、仕切部としてのスペーサー７０によって、裏蓋側の空間Ｓ１と、文字板１１側の空間Ｓ２とに分けられる。スペーサー７０は、図８に示すように円盤状に形成され、平面中心には、香箱真５０が挿通する孔７１が形成されている。本実施形態では、スペーサー７０は、ステンレス鋼で形成されている。なお、スペーサー７０は、外側に突出して形成され、香箱２０に形成された外端側係止部２１１に引っ掛かる突出部７２を備えている。これにより、スペーサー７０は、香箱２０と一体で回転する。
空間Ｓ１には、ゼンマイ３０が収納され、空間Ｓ２には、ゼンマイ４０が収納される。すなわち、スペーサー７０は、香箱真５０の軸方向においてゼンマイ３０およびゼンマイ４０の間に配置されている。
【００２７】
［香箱真の構成］
図９は、香箱真５０を裏蓋側から見た平面図であり、図１０は、香箱真５０を文字板１１側から見た平面図であり、図１１は、香箱真５０の断面図である。
図９から図１１に示すように、香箱真５０は、円筒状に形成された香箱真本体部５１と、香箱真本体部５１の外周面から突出した４つの突起５２１，５２２，５３１，５３２と、当該外周面から突出した４つのゼンマイ案内部５４１，５４２，５５１，５５２とを備えている。
【００２８】
図１１に示すように、第１係止部としての突起５２１，５２２は、香箱真５０の軸方向において同じ位置（高さ）に形成されている。ゼンマイ案内部５４１，５４２は、図１１では示されていないが、香箱真５０の軸方向において突起５２１，５２２と同じ位置（高さ）に形成されている。
第２係止部としての突起５３１，５３２およびゼンマイ案内部５５１，５５２は、突起５２１，５２２およびゼンマイ案内部５４１，５４２に対して、文字板１１側に形成され、香箱真５０の軸方向において互いに同じ位置（高さ）に形成されている。
そして、動力装置３において、突起５２１，５２２およびゼンマイ案内部５４１，５４２は、空間Ｓ１に位置し、突起５３１，５３２およびゼンマイ案内部５５１，５５２は、空間Ｓ２に位置している。
【００２９】
図９に示すように、突起５２１，５２２は、香箱真５０の中心軸Ｃ１に対して点対称となる位置に形成されている。すなわち、突起５２１，５２２は、香箱真５０の回転方向において、等間隔（１８０度間隔）で形成されている。
突起５２１，５２２は、ゼンマイ３０の内端３１の孔３１１に挿通することで、ゼンマイ３０の内端３１を引っ掛ける（係止する）ことができる。
ここで、ゼンマイ３０は、香箱真５０の巻締め方向Ｄ１とは、反対方向に巻回されている。そして、突起５２１，５２２の巻締め方向Ｄ１の端部５２１Ａ，５２２Ａは、平面視において、香箱真本体部５１の外周縁の接線と鋭角をなすように形成されている。これにより、ゼンマイ３０の巻締め時に、端部５２１Ａ，５２２Ａがゼンマイ３０の孔３１１の内側面を押す際、ゼンマイ３０を突起５２１，５２２から外れにくくできる。
また、突起５２１，５２２の巻締め方向Ｄ１とは反対方向の端部５２１Ｂ，５２２Ｂは、平面視において、香箱真本体部５１の外周縁の接線に沿って形成されている。これにより、例えば、ゼンマイ３０がゼンマイ４０よりも先に巻戻り、ゼンマイ３０が巻き戻った状態でゼンマイ４０によって香箱２０が、香箱真５０の巻締め方向Ｄ１と同じ方向である巻戻り方向にさらに回転した場合、ゼンマイ３０を突起５２１，５２２から外れやすくできる。これにより、香箱２０の回転が妨げられることを防止できる。
【００３０】
ゼンマイ案内部５４１，５４２は、香箱真５０の回転方向において、突起５２１と突起５２２との間の位置に形成されている。
ゼンマイ案内部５４１，５４２は、平面視において、巻締め方向Ｄ１側から反対側に向かって、徐々に幅が広くなるように形成されている。これにより、ゼンマイ３０が巻締められた際、巻回されたゼンマイ３０の直径を徐々に大きくすることができ、巻回されたゼンマイ３０が、突起５２１，５２２による段差によって折れ曲がることを抑制できる。
【００３１】
突起５３１，５３２は、ゼンマイ４０の内端４１の孔４１１に挿通することで、ゼンマイ４０の内端４１を引っ掛けることができる。
図１０に示すように、突起５３１，５３２は、突起５２１，５２２と同じ形状を有し、香箱真５０の回転方向において突起５２１，５２２と同じ位置に形成されている。すなわち、突起５３１，５３２は、平面視において、突起５２１，５２２と完全に重なっている。
ゼンマイ案内部５５１，５５２も、ゼンマイ案内部５４１，５４２と同じ形状を有し、香箱真５０の回転方向においてゼンマイ案内部５４１，５４２と同じ位置に形成されている。すなわち、ゼンマイ案内部５５１，５５２は、平面視において、ゼンマイ案内部５４１，５４２と完全に重なっている。
これにより、突起５３１，５３２およびゼンマイ案内部５５１，５５２は、突起５２１，５２２およびゼンマイ案内部５４１，５４２と同様の作用効果を奏する。
【００３２】
図１１に示すように、これらの突起５２１，５２２，５３１，５３２は、裏蓋側の端から、文字板１１側に向かって香箱真５０の中心軸Ｃ１から遠ざかるように傾斜した傾斜面５２１Ｃ，５２２Ｃ，５３１Ｃ，５３２Ｃを備えている。
同様に、図１１では図示していないが、ゼンマイ案内部５４１，５４２，５５１，５５２は、裏蓋側の端から、文字板１１側に向かって香箱真５０の中心軸Ｃ１から遠ざかるように傾斜した傾斜面を備えている。
これらの傾斜面は、詳しくは後述するが、香箱２０に対する香箱真５０の挿入を容易にする。
【００３３】
［動力装置の組み立て工程］
次に、動力装置３の組み立て工程を説明する。
まず、香箱２０に開口側からゼンマイ３０を入れる。このとき、ゼンマイ３０の内端３１および外端３２は、香箱２０の回転方向における任意の位置にある。
次に、香箱２０に開口側からスペーサー７０を入れ、その後、ゼンマイ４０を入れる。このとき、ゼンマイ４０の内端４１および外端４２は、香箱２０の回転方向における任意の位置にある。
例えば、香箱２０に底部２２が形成されておらず、回転軸に沿う一方の方向側からゼンマイ３０を入れ、他方の方向側からゼンマイ４０を入れる場合、香箱２０の向きを途中で変える必要があるが、香箱２０にゼンマイ３０，４０を同じ方向側から入れる上記方法によれば、香箱にゼンマイ３０およびゼンマイ４０を入れる際、途中で香箱の向きを変える必要がないため、組み立て工程を簡略化できる。
【００３４】
次に、香箱２０に、開口側から香箱真５０を挿入する。このとき、突起５２１，５２２，５３１，５３２およびゼンマイ案内部５４１，５４２，５５１，５５２がゼンマイ３０，４０に当たっても、さらに香箱真５０を押し込むことで、突起５２１，５２２，５３１，５３２の傾斜面５２１Ｃ，５２２Ｃ，５３１Ｃ，５３２Ｃおよびゼンマイ案内部５４１，５４２，５５１，５５２の傾斜面に押されてゼンマイ３０，４０が外側に逃げる。このため、香箱真５０の挿入がゼンマイ３０，４０によって妨げられることを防止でき、香箱真５０を、予め決められた位置まで容易に押し込むことができる。これにより、香箱真５０に容易に香箱２０を取り付けることができる。
そして、香箱蓋６０の凹部６４に、香箱２０の側壁部２１の端部２１２を圧入することで、香箱２０に、香箱蓋６０を取り付ける。
【００３５】
次に、香箱真５０を巻締め方向Ｄ１に回転させる。
これにより、ゼンマイ３０の内端３１が、香箱真５０の突起５２１，５２２のいずれかに引っ掛けられ、ゼンマイ３０が回転する。そして、ゼンマイ３０の外掛け３３が、香箱２０の外端側係止部２１１に引っ掛かり固定される。さらに香箱真５０を回転させると、ゼンマイ３０が巻かれていく。
同様に、ゼンマイ４０の内端４１が、香箱真５０の突起５３１，５３２のいずれかに引っ掛けられ、ゼンマイ４０が回転する。そして、ゼンマイ４０の外掛け４３が、香箱２０の外端側係止部２１１に引っ掛かり固定される。さらに香箱真５０を回転させると、ゼンマイ４０が巻かれていく。
そして、ゼンマイ３０，４０のいずれかが全巻状態となると、香箱真５０をそれ以上回転させることができなくなる。この状態から、ゼンマイ３０，４０を開放すると、ゼンマイ３０，４０は、出力トルクが「０」になるまで巻き戻る。
このようにして、動力装置３は組み立てられる。
【００３６】
［動力装置の巻締め］
次に、組み立てられた動力装置３の巻締めについて説明する。
ゼンマイ３０，４０が、出力トルクが「０」になるまで巻戻されている場合、製造ばらつきにより、ゼンマイ３０，４０の厚みや長さが互いに異なっていると、図１２の状態１に示すように、香箱真５０の回転方向におけるゼンマイ３０の内端３１の位置とゼンマイ４０の内端４１の位置とがずれる。図１２の状態１の例では、ゼンマイ４０の内端４１が、ゼンマイ３０の内端３１に対して、巻締め方向Ｄ１に３３０度ずれている。
【００３７】
次に、この状態からゼンマイ３０，４０を巻締める場合について説明する。
ここでは、例として、香箱真５０の突起５２１が、ゼンマイ３０の内端３１に引っ掛かっている場合を説明する。香箱真５０を巻締め方向Ｄ１に回転させると、ゼンマイ３０が巻始められる。このとき、ゼンマイ４０の内端４１は、突起５３１，５３２には引っ掛けられておらず、ゼンマイ４０は巻始められていない。そして、状態２に示すように、香箱真５０が１５０度回転すると、ゼンマイ４０の内端４１が香箱真５０の突起５３２に引っ掛けられ、ゼンマイ４０が巻始められる。
このように、本実施形態によれば、ゼンマイ３０，４０の内端３１，４１は、出力トルク「０」の状態において香箱真５０の回転方向における位置が互いに異なる場合であっても、香箱真５０が遅くとも０．５回転（１８０度回転）するまでには突起５２１，５２２，５３１，５３２のいずれかに引っ掛けられて巻始められる。
このため、ゼンマイ３０，４０の巻始めのタイミングのずれを、０．５回転分より小さくできる。すなわち、香箱真５０を巻締め方向Ｄ１に回転させてから、ゼンマイ３０の内端３１が巻始められるまでの香箱真５０の回転角度（位相）と、香箱真５０を巻締め方向Ｄ１に回転させてからゼンマイ４０の内端４１が巻始められるまでの香箱真５０の回転角度との差（位相差）を、１８０度未満にできる。なお、上記の例における位相差は、１５０度となる。
これにより、ゼンマイが巻締められたときに、全巻状態とはなっていない方のゼンマイの、全巻状態からの巻き数の不足分を、０．５巻よりも少なくできる。
【００３８】
［ゼンマイの出力トルク特性］
次に、ゼンマイ３０，４０の内端３１，４１の巻始めの位置の位相差と出力トルクの関係について説明する。
図１３は、位相差が「０周（０度）」の場合の出力トルクの特性を示す図である。横軸は、ゼンマイが巻締められた状態（回転数「０」）からの香箱２０の巻戻し方向の回転数を示し、縦軸は、ゼンマイの出力トルク（Ｎ・ｍ）を示す。
図１３の例では、ゼンマイが巻締められた際（回転数「０」の場合）、ゼンマイＺ１，Ｚ２は両方とも全巻状態となる。ここで、ゼンマイＺ１は、ゼンマイ３０，４０のいずれか一方を示し、ゼンマイＺ２は他方を示す。
ゼンマイＺ１，Ｚ２は、回転数が増えるにしたがって出力トルクが低下している。そして、ゼンマイＺ１，Ｚ２は、９．８０回転の手前で、出力トルクが「０」になっている。全体の出力トルクは、ゼンマイＺ１，Ｚ２の出力トルクの合計値となる。
【００３９】
図１４は、位相差が「０．５周（１８０度）」である場合の出力トルクの特性を示す図である。
図１４の例では、ゼンマイが巻締められた際、ゼンマイＺ１は全巻状態であるが、ゼンマイＺ２は全巻状態まで０．５巻不足している状態となっている。
そして、ゼンマイＺ２は、ゼンマイＺ１よりも回転数が０．５回転少ない段階（９．３０回転）で、出力トルクが「０」となっている。全体の出力トルクは、ゼンマイＺ１，Ｚ２の出力トルクの合計値となる。
【００４０】
図１５は、位相差が「１周（３６０度）」である場合の出力トルクの特性を示す図である。
図１５の例では、ゼンマイが巻締められた際、ゼンマイ３０，４０のうちの一方のゼンマイＺ１は全巻状態であるが、他方のゼンマイＺ２は全巻状態まで１巻不足している状態となっている。
そして、ゼンマイＺ２は、ゼンマイＺ１よりも回転数が１回転少ない段階（８．８０回転）で、出力トルクが「０」となっている。全体の出力トルクは、ゼンマイＺ１，Ｚ２の出力トルクの合計値となる。
【００４１】
図１６は、位相差が「０周」，「０．５周」，「１周」の場合の全体の出力トルクの特性を示す図である。
ここで、全体の出力トルクは、時刻精度を維持するため、予め決められた基準値以上であることが求められる。基準値は、例えば、約７０×１０−４Ｎ・ｍである。
図１６に示すように、位相差が「０」の場合、全体の出力トルクは、約７．８０回転のところで基準値を下回る。この場合は、例えば、二番車１５と香箱車の増速比が９．８に設定されている場合、全体の出力トルクを、約７６．４時間、基準値以上に維持できる。
位相差が「０．５周」の場合、全体の出力トルクは、約７．５０回転のところで基準値を下回る。この場合は、全体の出力トルクを、約７３．５時間、基準値以上に維持できる。すなわち、１回のゼンマイの巻締めで、３日以上、時刻精度を維持できる。
位相差が「１．０周」の場合、全体の出力トルクは、約７．２０回転のところで基準値を下回る。この場合は、全体の出力トルクを、約７０．６時間、基準値以上に維持できるが、１回のゼンマイの巻締めで、３日以上、時刻精度を維持することはできない。
【００４２】
［実施形態の作用効果］
時計１によれば、ゼンマイが巻締められたときに、ゼンマイ３０の内端３１の巻始めの位置と、ゼンマイ４０の内端４１の巻始めの位置との位相差を、０．５周よりも小さくできる。このため、香箱真５０に第１係止部および第２係止部がそれぞれ１つずつ設けられている場合と比べて、ゼンマイの巻き戻し末期での出力トルクを向上できる。
また、持続時間を３日以上とすることができるため、例えば、時計１を平日に使用し、土日は使用しない場合であっても、月曜日の朝に時計１は動いているため、ゼンマイを巻く必要がない。このため、使い勝手を向上できる。
【００４３】
突起５２１，５２２，５３１，５３２は、香箱真５０の回転方向において等間隔で形成されているため、等間隔で形成されていない場合と比べて、ゼンマイ３０，４０の内端３１，４１の巻始めの位置の位相差の最大値を小さくでき、ゼンマイの巻き戻し末期での出力トルクを効果的に向上できる。
【００４４】
外周面に歯が設けられた回転部材を生成する場合、歯先円以上の直径を有する材料を準備し、この材料の外周部分を削って歯を設ける加工が行われる。時計１によれば、香箱２０よりも薄い香箱蓋６０に歯６１が設けられているため、香箱２０に歯を設けるよりも、材料を削る量を少なくでき、加工を容易にできる。また、材料費を削減することもできる。
【００４５】
時計１によれば、スペーサー７０によって、香箱２０に収納されたゼンマイ３０およびゼンマイ４０が、香箱２０内で移動して互いに干渉することを防止でき、動力装置３の動作が妨げられることを防止できる。
【００４６】
なお、持続時間を長くする方法としては、例えば、１つのゼンマイを備える構成において、単にゼンマイの長さを長くする方法もあるが、この場合は、香箱のサイズを大きくする必要があり、時計のサイズが大きくなってしまう。これに対して、時計１によれば、香箱のサイズを大きくすることなく、持続時間を長くできる。このため、例えば、男性用と比べてサイズの小さい女性用の時計においても、持続時間を長くできる。
【００４７】
また、香箱のサイズを大きくすることなく、持続時間を長くする方法としては、例えば、特許第５４０９８０２号明細書に記載されているように、香箱に２つのゼンマイを回転軸方向に重ねて収納し、２つのゼンマイを直列に接続させる方法もある。しかしながら、この方法では、ゼンマイの取り付け構造が一般的な動力装置におけるゼンマイの取り付け構造とは異なるため、容易に製造できない。また、出力トルクを維持するため、ゼンマイの厚みは、１つのゼンマイを備える構成と比べて薄くできない。香箱真径ｒと、ゼンマイの厚みｔとは、耐久性を維持するために、１０＜ｒ／ｔ＜１４の関係を満たす必要がある。このため、ゼンマイの厚みｔを薄くできないと、香箱真径ｒを小さくできない。これに対して、時計１によれば、ゼンマイ３０，４０が並列に接続されているため、ゼンマイ３０，４０を薄くしても出力トルクを維持できる。このため、香箱真径を小さくでき、ゼンマイ３０，４０の巻き数を増やすことができる。この結果、２つのゼンマイが直列に接続される構成と比べて、持続時間を長くできる。
【００４８】
また、別の方法としては、例えば、１つのゼンマイを備える構成において、ゼンマイを薄くし、かつ、ゼンマイを薄くすることで低下する出力トルクをゼンマイの幅を広げることで補う方法もある。しかしながら、ゼンマイの幅を広げるには、ゼンマイの製造過程において、ゼンマイ材料を圧延する回数を増やすなどする必要があり、この結果、ゼンマイの側面に亀裂が入りやすくなる。このため、ゼンマイの耐久性が低下する可能性がある。これに対して、時計１によれば、ゼンマイ３０，４０の幅を広げる必要がないため、耐久性が低下することを抑制できる。
【００４９】
［他の実施形態］
なお、本発明は前述の実施形態に限定されるものではなく、本発明の目的を達成できる範囲での変形、改良等は本発明に含まれるものである。
【００５０】
前記実施形態では、香箱真５０に、ゼンマイ３０が引っ掛けられる第１係止部、および、ゼンマイ４０が引っ掛けられる第２係止部は、それぞれ２つずつ形成されているが、本発明はこれに限定されない。すなわち、第１係止部および第２係止部は、それぞれ３つ以上形成されていてもよい。この場合、ゼンマイ３０，４０の内端３１，４１の巻始めの位置の位相差をさらに小さくでき、ゼンマイの巻き戻し末期での出力トルクをさらに向上できる。なお、第１係止部および第２係止部をそれぞれ３つ以上形成する場合は、ゼンマイ３０，４０に形成された孔３１１，４１１をより小さくする。
図１７は、第１係止部および第２係止部がそれぞれ３つ形成された香箱真５０Ａを裏蓋側から見た平面図である。図１７に示すように、香箱真５０Ａには、平面視にて、第１係止部として、３つの突起５２１，５２２，５２３が、回転方向において等間隔となるように形成されている。また、香箱真５０Ａでは、図示していないが、平面視において、突起５２１，５２２，５２３と同じ位置に、第２係止部として３つの突起が形成されている。
この構成によれば、ゼンマイ３０，４０の内端３１，４１の巻始めの位置の位相差を、約０．３３周よりも小さくできる。これにより、ゼンマイ３０，４０が巻締められたときに、全巻状態とはなっていない方のゼンマイの、全巻状態からの巻き数の不足分を、約０．３３巻よりも少なくできる。このため、ゼンマイの巻き戻し末期での出力トルクをさらに向上できる。
【００５１】
前記実施形態および前記変形例では、第１係止部および第２係止部はそれぞれ、香箱真５０の回転方向において等間隔で形成されているが、本発明はこれに限定されない。すなわち、等間隔でなくてもよい。この場合も、第１係止部および第２係止部を１つずつ設ける場合と比べて、上記位相差の最大値を小さくでき、ゼンマイの巻き戻し末期での出力トルクを向上できる。ただし、等間隔で形成した場合は、第１係止部および第２係止部をそれぞれ同じ数だけ形成する場合に、位相差の最大値を最小にできる。このため、等間隔で形成することが好ましい。
【００５２】
前記実施形態および前記変形例では、第１係止部および第２係止部は、香箱真５０の回転方向において同じ位置に形成されているが、本発明はこれに限定されない。すなわち、前記回転方向において異なる位置に形成されていてもよい。この場合も、第１係止部および第２係止部を１つずつ設ける場合と比べて、上記位相差を小さくでき、ゼンマイの巻き戻し末期での出力トルクを向上できる。
【００５３】
前記実施形態では、香箱蓋６０が香箱車として機能しているが、本発明はこれに限定されない。例えば、香箱２０の外周面に歯を設け、香箱２０を香箱車として機能させてもよい。
【００５４】
前記実施形態では、香箱真５０の突起５２１，５２２，５３１，５３２およびゼンマイ案内部５４１，５４２，５５１，５５２は傾斜面を備えているが、本発明はこれに限定されない。例えば、香箱２０を香箱真５０に取り付けた後に、香箱２０にゼンマイ３０，４０を入れる場合は、傾斜面によってゼンマイ３０，４０を外側に押す必要がないため、傾斜面を備えていなくてもよい。
【００５５】
前記実施形態では、ゼンマイ３０，４０の外端３２，４２は、外掛け３３，４３によって、香箱２０の側壁部２１に取り付けられているが、本発明はこれに限定されない。例えば、外端３２，４２は、スリッピングアタッチメントによって側壁部２１に取り付けられていてもよい。
【００５６】
前記実施形態および前記変形例では、香箱真５０に形成された突起５２１，５２２，５２３，５３１，５３２が、ゼンマイ３０，４０の内端３１，４１の孔３１１，４１１に挿通することで、内端３１，４１は香箱真５０に係止されているが、本発明はこれに限定されない。例えば、内端３１，４１に屈曲部が形成され、当該屈曲部が香箱真５０に形成された係止部としての溝に引っ掛けられることで、内端３１，４１が香箱真５０に係止される構成としてもよい。
【００５７】
動力装置３は、手巻きだけではなく、自動巻きにも適用できる。
また、動力装置３は、例えば、特許第３４９６５４４号明細書や特許第５０５０７５６号明細書に記載された電子制御式機械時計のように、巻き過ぎ防止機構や運針停止機構を備え、ゼンマイの出力トルクを設定範囲内に維持させる時計に適用できる。これらの時計では、ゼンマイの出力トルクが低下して設定範囲外となり、正確な運針ができなくなる前に巻戻しをロックし、指針を停止させる。本発明によれば、ゼンマイの出力トルクが低下する巻戻し末期での出力トルクを向上させることができるため、当該時計において、巻戻しがロックされるまでの時間を長くできる。このため、持続時間を効果的に長くできる。
【符号の説明】
【００５８】
１…時計、２…駆動機構、３…動力装置（時計用動力装置）、１１…文字板、１２…地板、１３…香箱軸、１４…角穴車、１５…二番車、１６…四番車、１７…筒車、１８…香箱ネジ、２０…香箱、２１…側壁部、２２…底部、３０…ゼンマイ（第１ゼンマイ）、３１，４１…内端、３２，４２…外端、３３，４３…外掛け、４０…ゼンマイ（第２ゼンマイ）、５０，５０Ａ…香箱真、５１…香箱真本体部、６０…香箱蓋、６１…歯、６２，６３，７１，２２１，３１１，４１１…孔、６４…凹部、７０…スペーサー、２１１…外端側係止部、２１２，５２１Ａ，５２１Ｂ，５２２Ａ，５２２Ｂ…端部、２１３，２１４…溝、５２１，５２２，５２３…突起（第１係止部）、５２１Ｃ，５２２Ｃ，５３１Ｃ，５３２Ｃ…傾斜面、５３１，５３２…突起（第２係止部）、５４１，５４２，５５１，５５２…ゼンマイ案内部、Ｃ１…中心軸、Ｄ１…巻締め方向、Ｓ，Ｓ１，Ｓ２…空間。
【図１】
2018054562.tif 000003
【図２】
2018054562.tif 000004
【図３】
2018054562.tif 000005
【図４】
2018054562.tif 000006
【図５】
2018054562.tif 000007
【図６】
2018054562.tif 000008
【図７】
2018054562.tif 000009
【図８】
2018054562.tif 000010
【図９】
2018054562.tif 000011
【図１０】
2018054562.tif 000012
【図１１】
2018054562.tif 000013
【図１２】
2018054562.tif 000014
【図１３】
2018054562.tif 000015
【図１４】
2018054562.tif 000016
【図１５】
2018054562.tif 000017
【図１６】
2018054562.tif 000018
【図１７】
2018054562.tif 000019